(57)【特許請求の範囲】
【請求項１】
複数の発光ユニットを連接してなる発光装置であって、
第１端子と第２端子とからなる複数の端子対を有する基板と、該基板上に配置され、前記第１端子が接続された第１接続部と前記第２端子が接続された第２接続部との間に接続された１又は２以上の発光素子と、をそれぞれ備える２つの発光ユニットと、
前記端子対に接続されて前記発光ユニット同士を機械的に保持可能であって前記発光素子に導通されて前記発光素子を発光可能とする導電性の固定部と、を有し、
前記発光ユニット同士が前記固定部により接続されるとともに前記発光ユニット同士が互いの発光面が外方に向くように対向して配置され造形化され、
前記発光ユニットが、前記基板に配置され外部からの交流電圧を整流し脈流電圧を得るための整流部をさらに備え、かつ前記発光素子は前記整流部にて得られた脈流電圧により発光可能である発光装置。
【請求項２】
複数の発光ユニットを連接してなる発光装置であって、
第１端子と第２端子とからなる複数の端子対を有する基板と、該基板上に配置され、前記第１端子が接続された第１接続部と前記第２端子が接続された第２接続部との間に接続された１又は２以上の発光素子と、をそれぞれ備える６つの発光ユニットと、
前記端子対に接続されて前記発光ユニット同士を機械的に保持可能であって前記発光素子に導通されて前記発光素子を発光可能とする導電性の固定部と、を有し、
前記発光ユニット同士が前記固定部により接続されるとともに固定化され立方体形状に造形化され、
前記発光ユニットが、前記基板に配置され外部からの交流電圧を整流し脈流電圧を得る
ための整流部をさらに備え、かつ前記発光素子は前記整流部にて得られた脈流電圧により
発光可能である発光装置。
【請求項３】
複数の発光ユニットを連接してなる発光装置であって、
第１端子と第２端子とからなる複数の端子対を有する基板と、該基板上に配置され、前記第１端子が接続された第１接続部と前記第２端子が接続された第２接続部との間に接続された１又は２以上の発光素子と、をそれぞれ備える４つの発光ユニットと、
前記端子対に接続されて前記発光ユニット同士を機械的に保持可能であって前記発光素子に導通されて前記発光素子を発光可能とする導電性の固定部と、を有し、
前記発光ユニット同士が前記固定部により接続されるとともに固定化され三角錐形状に造形化され、
前記発光ユニットが、前記基板に配置され外部からの交流電圧を整流し脈流電圧を得る
ための整流部をさらに備え、かつ前記発光素子は前記整流部にて得られた脈流電圧により
発光可能である発光装置。
【請求項４】
前記基板は、前記発光素子を定電流駆動させるための定電流駆動部を有する請求項１乃至３のいずれかに記載の発光装置。
【発明の詳細な説明】
【技術分野】
【０００１】
本発明は、発光ユニット及びそれを用いた発光装置に関する。
【背景技術】
【０００２】
従来、発光ユニットとしては、交流電源を整流する整流回路と、発光素子と、を備えるものが提案されている（例えば特許文献１）。
【先行技術文献】
【特許文献】
【０００３】
【特許文献１】特開２００１−３５２３９号公報
【発明の概要】
【発明が解決しようとする課題】
【０００４】
従来の発光ユニットは、交流電源を整流回路にて整流することで発光素子を駆動させることができる。しかしながら、複数の発光ユニットを用いて１つの発光装置とする際には発光ユニットのそれぞれに交流電源が必要であり、電源のための配線の取り回し作業が煩雑になるという問題があった。
【０００５】
そこで本発明は、比較的簡単な構成にもかかわらず、発光ユニット同士を機械的・電気的に接続することができる発光ユニット及びそれを用いた発光装置を提供することを目的とする。
【課題を解決するための手段】
【０００６】
第１の実施形態に係る発光装置は、複数の発光ユニットを連接してなる発光装置であって、
第１端子と第２端子とからなる複数の端子対を有する基板と、該基板上に配置され、前記第１端子が接続された第１接続部と前記第２端子が接続された第２接続部との間に接続された１又は２以上の発光素子と、をそれぞれ備える２つの発光ユニットと、
前記端子対に接続されて前記発光ユニット同士を機械的に保持可能であって前記発光素子に導通されて前記発光素子を発光可能とする導電性の固定部と、を有し、
前記発光ユニット同士が前記固定部により接続されるとともに前記発光ユニット同士が互いの発光面が外方に向くように対向して配置され造形化され、
前記発光ユニットが、前記基板に配置され外部からの交流電圧を整流し脈流電圧を得るための整流部をさらに備え、かつ前記発光素子は前記整流部にて得られた脈流電圧により発光可能であることを特徴とする。
第２の実施形態に係る発光装置は、複数の発光ユニットを連接してなる発光装置であって、
第１端子と第２端子とからなる複数の端子対を有する基板と、該基板上に配置され、前記第１端子が接続された第１接続部と前記第２端子が接続された第２接続部との間に接続された１又は２以上の発光素子と、をそれぞれ備える６つの発光ユニットと、
前記端子対に接続されて前記発光ユニット同士を機械的に保持可能であって前記発光素子に導通されて前記発光素子を発光可能とする導電性の固定部と、を有し、
前記発光ユニット同士が前記固定部により接続されるとともに固定化され立方体形状に造形化され、
前記発光ユニットが、前記基板に配置され外部からの交流電圧を整流し脈流電圧を得る
ための整流部をさらに備え、かつ前記発光素子は前記整流部にて得られた脈流電圧により
発光可能であることを特徴とする。
第３の実施形態に係る発光装置は、複数の発光ユニットを連接してなる発光装置であって、
第１端子と第２端子とからなる複数の端子対を有する基板と、該基板上に配置され、前記第１端子が接続された第１接続部と前記第２端子が接続された第２接続部との間に接続された１又は２以上の発光素子と、をそれぞれ備える４つの発光ユニットと、
前記端子対に接続されて前記発光ユニット同士を機械的に保持可能であって前記発光素子に導通されて前記発光素子を発光可能とする導電性の固定部と、を有し、
前記発光ユニット同士が前記固定部により接続されるとともに固定化され三角錐形状に造形化され、
前記発光ユニットが、前記基板に配置され外部からの交流電圧を整流し脈流電圧を得る
ための整流部をさらに備え、かつ前記発光素子は前記整流部にて得られた脈流電圧により
発光可能であることを特徴とする。
【０００７】
一実施形態に係る発光ユニットは、それぞれ、第１端子と第２端子とからなる複数の端子対を有する基板と、前記基板上に配置され、前記第１端子が接続された第１接続部と前記第２端子が接続された第２接続部との間に接続された１又は２以上の発光素子と、を備えることを特徴とする。
【発明の効果】
【０００８】
本発明によれば、複数の端子対に任意の形状の固定部が挿入されることにより、当該発光ユニット同士が機械的・電気的に接続され、任意の形状の発光装置とすることができる。また、複数の発光ユニットを組み合わせて発光装置を作製した場合一つの電源で全ての発光ユニットを発光させることができるため、電源のための配線の取り回し作業を低減することができる。
【０００９】
したがって、本発明によれば、比較的簡単な構成にもかかわらず、発光ユニット同士を機械的・電気的に接続することができる発光ユニット及びそれを用いた発光装置を提供することができる。
【図面の簡単な説明】
【００１０】
【図１】一実施の形態に係る発光ユニットの回路図である。
【図２】一実施の形態に係る発光ユニットの表面側からの分解斜視図である。
【図３】一実施の形態に係る発光ユニットの裏面側からの分解斜視図である。
【図４】固定部を説明するための図である。
【図５】一発光装置を説明するための図である。
【図６】一発光装置を用いた灯具の概略図である。
【発明を実施するための形態】
【００１１】
本発明を実施するための形態を、以下に図面を参照しながら説明する。ただし、以下に示す形態は、本発明の技術思想を具体化するための発光ユニット及びそれを用いた発光装置を例示するものであって、本発明を以下に限定するものではない。また、実施の形態に記載されている構成部品の寸法、材質、形状、その相対的配置等は、特定的な記載がない限り、本発明の範囲をそれのみに限定する趣旨ではなく、単なる例示にすぎない。なお、各図面が示す部材の大きさや位置関係等は、説明を明確にするために誇張していることがある。
【００１２】
（実施の形態１）
実施の形態１に係る発光ユニット１１の概略的な回路図を図１に、表面側からの分解斜視図を図２に、裏面側からの分解斜視図を図３に示す。図１〜図３に示すように、実施の形態１に係る発光ユニット１１は、第１端子Ｔ１と第２端子Ｔ２、及び第１端子Ｔ３と第２端子Ｔ４からなる二対の端子対を有する基板１と、基板１上に配置され、２つの第１端子Ｔ１、Ｔ３が接続された第１接続部１３と２つの第２端子Ｔ２、Ｔ４が接続された第２接続部１４との間において直列接続された４０個の発光素子群４（発光素子ＬＥ１〜ＬＥ４０からなる）と、基板１の上側（発光面側）に配置された透明の上側ケース５−１と、基板１の下側（非発光面側）に配置され、上側ケース５−１と当接する下側ケース５−２と、を備える。
【００１３】
本実施の形態１に係る発光ユニット１１によれば、上記２つの端子対に、任意の形状の導電性の固定部６を挿入することにより発光素子群４が電源と電気的に接続されて発光素子群４が発光可能となるとともに発光ユニット１１同士が機械的に保持され任意の形状の発光装置１２を作製することができる。
【００１４】
本実施の形態１に係る発光ユニット１１の基板１の形状は、如何なる形状であってもよく、複数の発光ユニット１１を組み合わせて、例えば立方体の発光装置１２を作製する場合、例えば図２、３に示すように基板１の形状を正方形とする。また、例えば正三角錐の発光装置１２を作製する場合、例えば基板１の形状を正三角形とする。基板１の形状は最終的に得られる発光装置１２の形状に合わせて適宜選択することができる。
【００１５】
本実施の形態１に係る発光ユニット１１において、第１端子Ｔ１と第２端子Ｔ２とにより一対の端子対が形成され、第１端子Ｔ３と第２端子Ｔ４とによりもう一対の端子対が形成される。すなわち、２つの第１端子Ｔ１、Ｔ３と２つの第２端子Ｔ２、Ｔ４とにより二対の端子対が形成されている。しかしながら、本発明はこれに限定されることはなく、基板１が正方形状であれば、正方形の各辺に端子対を設けるため四対の端子対を形成してもよい。基板１の辺の数と端子対の数は必ずしも一致させる必要はないが、基板１の辺の数と端子対の数を一致させておけば、発光装置１２の組み立てのバリエーションを増加させることができるため好ましい。また、基板１の一辺に複数の端子対を形成してもよい。
【００１６】
本実施の形態１に係る発光ユニット１１において、当該端子対は、基板１の如何なる箇所に設けられていてもよいが、基板１の外周付近に形成されていれば、発光ユニット１１が例えば連続して平面状に結合される場合等固定部６により発光ユニット１１を接合しやすいため好ましい。しかしながら、最終的に組み立てられた発光装置１２の形状によっては、発光ユニット１１の基板１の外周以外の場所、例えば中央付近に端子対が形成されていることがよい場合もあり、端子対の設置場所は最終的に組み立てられた発光装置１２の形状によって任意に選択することができる。
【００１７】
本実施の形態１に係る発光ユニット１１では、交流電圧を直流電圧に変換することなく（ＡＣ−ＤＣ変換器を要することなく）、商用の交流電源を直接用いて複数の発光ユニット１１を同時に駆動することができる。また、基板１に配置され外部からの交流電圧を整流し脈流電圧を得るための整流部２をさらに備えており、発光素子ＬＥ１〜ＬＥ４０は整流部２にて得られた脈流電圧にて発光可能となっている。整流部２を有することにより、電源効率を向上させることができる。なお、交流電圧を直流電圧に変換した後で、直流電圧により発光ユニットを駆動できることは言うまでもない。
【００１８】
本実施の形態１に係る発光ユニット１１では、図１（ａ）に示すように、直列接続された発光素子ＬＥ１〜ＬＥ４０からなる発光素子群４の一端の発光素子ＬＥ１の正極に第１ラインＬ１が接続され、発光素子群４の他端の発光素子ＬＥ４０の負極に第３ラインＬ３が接続されている。第３ラインＬ３には、定電流駆動部（定電流回路）３が介在する。第２ラインＬ２が、第１接続部１３において、第１ラインＬ１から分岐している。同様に、第４ラインＬ４が、第２接続部１４において、第３ラインＬ３から分岐している。したがって、基板１は、整流部２に接続された第１ラインＬ１の端部に設けられた第１端子Ｔ１と、第１ラインＬ１から分岐された第２ラインＬ２の端部に設けられた第１端子Ｔ３と、整流部２に接続された第３ラインＬ３の端部に設けられた第２端子Ｔ２と、第３ラインＬ３から分岐された第４ラインＬ４の端部に設けられた第２端子Ｔ４と、を有しており、第１端子Ｔ１と第２端子Ｔ２とで一対の端子対が形成され、第１端子Ｔ３と第２端子Ｔ４とでもう一対の端子対が形成されている。
【００１９】
直流電源が用いられる場合、一の発光ユニット１１の第１端子Ｔ３を、別の発光ユニット１１の第１端子Ｔ１と電気的に接続し、一の発光ユニット１１の第２端子Ｔ４を、別の発光ユニット１１の第２端子Ｔ２と電気的に接続することが肝要である。それぞれの発光素子群４に順方向の電流が流れるようにするためである。
【００２０】
一方、交流電源が用いられる場合、整流部２を有していれば、発光ユニット間において端子Ｔ１〜Ｔ４をどのように接続したとしても整流部２により発光素子群４に対して順方向の電流を流すことができる。したがって、この場合、直流電源用いられる場合で説明した上記接続形態の他に、例えば、一の発光ユニット１１の第１端子Ｔ３を、別の発光ユニット１１の第２端子Ｔ４と電気的に接続し、一の発光ユニット１１の第２端子Ｔ４を、別の発光ユニット１１の第１端子Ｔ３と電気的に接続することができる。
【００２１】
このため、直流電源が用いられる場合であっても交流電源が用いられる場合であっても複数の発光ユニット１１をそれぞれ電気的に接続することができる。複数の発光ユニット１１を連続して接続することにより、１つの交流若しくは直流電源で各発光ユニット１１を駆動させることができ好適である。特に、交流電源が用いられる場合においては、各発光ユニット１１は上述のように接続の仕方を任意に選択することができるため、発光ユニット１１を接続して発光装置１２を作製する際に発光ユニット１１の接続方向を確認する必要が無く、設計の幅を広げることができる。この場合、発光ユニットは、表面（発光面）側からみて発光ユニットを１８０度回転させたときに端子の配置が回転の前後で同じとなること（端子の配置が点対称であること）が好ましい。さらに、回転の前後で発光素子の配置が同じとなること（発光素子の配置が点対称であること）が好ましい。これにより、設計の幅をさらに広げることができる。
【００２２】
上側ケース５−１は、下側ケース５−２に固定するための４つの係止部８を有し、下側ケース５−２は、係止部８を受けるための４つの係止部受部９を有する。係止部８を、基板１に設けられた切欠部１０に係合させつつ、さらに係止部受部９に挿入すれば、基板１をケース５に固定しつつ上側ケース５−１と下側ケース５−２とを組み合わせることができる。したがって、上記構成により、ネジ等の固定具を用いることなく発光ユニット１１を組み立てることができる。また、固定部６は第１端子Ｔ１、Ｔ３及び第２端子Ｔ２、Ｔ４とハンダ等を用いることなく脱着可能とすることができる。これにより、例えば、一旦、任意な形状の発光装置となるように発光ユニット同士を固定部にて接続した後であっても、他の形状の固定部に置き換えることにより、別形状の発光装置に構成しなおすことができる。
【００２３】
（整流部）
本実施の形態１に係る発光ユニット１１において、発光ユニット１１は整流部（整流回路）２を要する。具体的には、整流部２としては、図１（ｂ）に示すように、例えば、４つのダイオードからなるブリッジダイオードを用いることができる。ブリッジダイオードは、ダイオードＤ１の入力端子とダイオードＤ２の入力端子とが、ダイオードＤ２の出力端子とダイオードＤ３の入力端子とが、ダイオードＤ３の出力端子とダイオードＤ４の出力端子とが、ダイオードＤ４の入力端子とダイオードＤ１の出力端子とが接続されることにより形成されている。ダイオードＤ１の入力端子とダイオードＤ２の入力端子とが接続されることにより接続部Ｅ１が形成され、ダイオードＤ２の出力端子とダイオードＤ３の入力端子とが接続されることにより接続部Ｅ２が形成され、さらにダイオードＤ３の出力端子とダイオードＤ４の出力端子とが接続されることにより接続部Ｅ３が形成され、ダイオードＤ４の入力端子とダイオードＤ１の出力端子とが接続されることにより接続部Ｅ４が形成されている。接続部Ｅ４に第１端子Ｔ１、Ｔ３が接続され、接続部Ｅ２に第２端子Ｔ２、Ｔ４が接続される。さらに、接続部Ｅ３に、発光素子ＬＥ１の正極が接続され、接続部Ｅ１に、発光素子ＬＥ４０の負極が定電流駆動部３を介して接続される。このようなブリッジダイオードにより、交流電圧を脈流電圧に変換することができ（全波整流することができ）、脈流電圧により発光素子ＬＥ１〜ＬＥ４０を発光させることができる。本実施の形態１においては、整流部２として、ブリッジダイオードを用いたが、本発明に係る発光ユニット１１の整流部２としてはこれに限定されることはなく、整流作用がある限り如何なる回路を用いてもよい。
【００２４】
（定電流駆動部）
本実施の形態１に係る発光ユニット１１において、発光ユニット１１は定電流駆動部３を有することが好ましい。具体的には、定電流駆動部３としては、図１（ａ）に示すように、２つのＮＰＮ型バイポーラトランジスタＱ１、Ｑ２と、５つの抵抗Ｒ２、Ｒ３、Ｒ４、Ｒ５、Ｒ６と、１つのサーミスタＴＨ１とを用いる。ＮＰＮ型バイポーラトランジスタＱ２のコレクタに、発光素子ＬＥ４０の負極が接続され、ＮＰＮ型バイポーラトランジスタＱ２のベースに、抵抗Ｒ２を介して、整流部２の正極が接続されている。また、ＮＰＮ型バイポーラトランジスタＱ２のエミッタには、抵抗Ｒ５、Ｒ６、サーミスタＴＨ１を介してグランドに接続されている。また、ＮＰＮ型バイポーラトランジスタＱ１のコレクタは、抵抗Ｒ２を介して、整流部２の正極に接続され、ＮＰＮ型バイポーラトランジスタＱ１のベースは、抵抗Ｒ４を介して、ＮＰＮ型バイポーラトランジスタＱ２のエミッタに接続されている。ＮＰＮ型バイポーラトランジスタＱ１のエミッタは、グランドに接続されている。
【００２５】
本実施の形態１に係る発光ユニット１１によれば、発光ユニット１１の形状を所望の形状とし、発光ユニット１１同士を接続する固定部６の形状を後述するように任意に選択することにより、所望の形状の発光装置１２を容易に作製することができる。また、複数の発光ユニットを組み合わせて発光装置を作製した場合一つの電源で全ての発光ユニットを発光させることができるため、電源のための配線の取り回し作業を低減することができる。
【００２６】
（実施の形態２）
本発明の実施の形態２に係る発光装置１２は、上述した複数の発光ユニット１１を連接してなる発光装置であって、第１端子Ｔ１と第２端子Ｔ２、及び第１端子Ｔ３と第２端子Ｔ４からなる二対の端子対を有する基板１と、基板１上に配置され、２つの第１端子Ｔ１、Ｔ３が接続された第１接続部１３と２つの第２端子Ｔ２、Ｔ４が接続された第２接続部１４との間において直列接続された４０個の発光素子群４と、をそれぞれ備える複数の発光ユニット１１と、前記端子対に接続されて発光ユニット１１同士を機械的に保持可能であって発光素子群４に導通されて発光素子群４を発光可能とする導電性の固定部６と、を有し、発光ユニット１１同士が固定部６により接続されることにより造形化されたことを特徴とする。
【００２７】
本発明において、「造形化」とは、固定部の形状を任意に選択すること、発光ユニットの形状を所望の形状とすること、端子対の設置位置を適宜選択することなどによって、複数の発光ユニットから所望の形状の発光装置とすることを意味する。
【００２８】
また、本発明において、「機械的に保持可能」とは、例えば、固定部が、隣り合う発光ユニットに挿入されることにより、発光ユニット同士が動かないように当該発光ユニットを強固に保持することができることをいう。
【００２９】
さらに、本発明において、「発光素子に導通されて発光素子を発光可能とする」とは、固定部が端子対に挿入されることにより、発光ユニット同士がループ状に電気的に接続され、発光ユニットに設けられた１又は２以上の発光素子が直接的又は間接的に電源に接続され、当該電源を入れた場合発光素子が発光することができる状態とすることを意味する。ここで、「発光ユニット同士がループ状に電気的に接続される」とは、直流電源が用いられる場合にあっては、発光ユニットの第１端子同士が接続され、かつ発光ユニットの第２端子同士が接続されることにより、複数の発光ユニットが環状に電気接続されることを意味する。例えば、実施の形態１に係る発光ユニットを（ｎ＋１）個備えた発光装置の場合、第１発光ユニットの第１端子Ｔ３を第２発光ユニットの第１端子Ｔ１と接続し、第２発光ユニットの第１端子Ｔ３を第３発光ユニットの第１端子Ｔ１と接続し、・・・第ｎ発光ユニットの第１端子Ｔ３を第（ｎ＋１）発光ユニットの第１端子Ｔ１と接続し、第（ｎ＋１）発光ユニットの第２端子Ｔ２を第ｎ発光ユニットの第２端子Ｔ４と接続し、・・・第３発光ユニットの第２端子Ｔ２を第２発光ユニットの第２端子Ｔ４と接続し、第２発光ユニットの第２端子Ｔ２を第１発光ユニットの第２端子Ｔ４と接続することができる。この場合、第１発光ユニットの第１端子Ｔ１及び第２端子Ｔ２に電源が接続されている。さらに、第（ｎ＋１）発光ユニットの第１端子Ｔ３及び第２端子Ｔ４は使用されていない。また、交流電源が用いられ、発光ユニットが整流部を含む場合にあっては、「発光ユニット同士がループ状に電気的に接続される」とは、一の発光ユニットの第１端子が他の発光ユニットの第１端子及び第２端子のうちいずれか１つの端子に接続され、かつ一の発光ユニットの第２端子が他の発光ユニットの第１端子及び第２端子のうち別のいずれか１つの端子に接続されることにより、複数の発光ユニットが環状に電気接続されることを意味する。例えば、実施の形態１に係る発光ユニットを（ｎ＋１）個備えた発光装置の場合、直流電源が用いられる場合において説明した上記接続形態の他に、第１発光ユニットの第１端子Ｔ３を第２発光ユニットの第２端子Ｔ４と接続し、第２発光ユニットの第２端子Ｔ２を第３発光ユニットの第１端子Ｔ１と接続し、・・・第ｎ発光ユニットの第２端子Ｔ２を第（ｎ＋１）発光ユニットの第１端子Ｔ１と接続し、第（ｎ＋１）発光ユニットの第２端子Ｔ２を第ｎ発光ユニットの第１端子Ｔ１と接続し、・・・第３発光ユニットの第２端子Ｔ２を第２発光ユニットの第１端子Ｔ１と接続し、第２発光ユニットの第１端子Ｔ３を第１発光ユニットの第２端子Ｔ４と接続することができる。
【００３０】
本実施の形態２に係る発光装置１２において使用される固定部６を図４（ａ）〜（ｅ）に示す。図４（ａ）〜（ｅ）に示すように、固定部６は、直線状であってもよいし（図４（ａ））、「Ｌ」字状であってもよい（図４（ｂ））。また、固定部６は、鍔付き「コ」字状であってもよいし（図４（ｃ））、「コ」字状であってもよいし（図４（ｄ））、さらには、鍔付き「コ」字状のものを半分としたものであってもよい（図４（ｅ））。
【００３１】
図４（ａ）に示すように固定部６を直線状とすれば、正方形状の発光ユニット１１の向かい合う二辺にそれぞれ平行にかつ当該辺に対して略垂直に設けられた端子対に一対の固定部６を挿入することにより、発光ユニット１１を直線状に配列させることができる。また、固定部６を直線の状態からわずかに湾曲させれば、発光ユニット１１を円形状に配列させることができる。固定部６の湾曲の度合いにより、発光ユニット１１から構成される円の大きさを調整することができる。例えば、湾曲の度合いを小さくすることにより、大きな円を形成することができ、他方湾曲の度合いを大きくすることにより、小さな円を形成することができる。この場合、各発光ユニットの発光面を外側にしてもよいし、内側にしてもよいし、さらには外側と内側が交互になるように構成させることもができる。
【００３２】
図４（ｂ）に示すように固定部６を「Ｌ」字状とすれば、正方形状の発光ユニット１１の向かい合う二辺にそれぞれ平行にかつ当該辺に対してほぼ垂直に設けられた端子対に一対の固定部６を挿入することにより、互いの発光ユニットが垂直となるように構成させることができる。例えば、３つの発光ユニットを「Ｌ」字状の固定部６を用いて接続させた発光装置を二組用い、六面体となるように組み合わせることで、１つの灯具を構成させることができる。この場合、１の発光装置の一端に位置する発光ユニットの２つの端子は、ワイヤー等を用いて、他の発光装置の一端に位置する発光ユニットの２つの端子にそれぞれ電気的に接続されている。１の発光装置の他端に位置する発光ユニットの他の２つの端子のうち一つの端子に交流電源を接続し他の端子を接地させることにより、灯具全体を一の交流電源で駆動させることができる。
【００３３】
図４（ｃ）に示すように固定部６を鍔付き「コ」字状とすれば、当該固定部６の２つの鍔部６−１を例えば正方形状の発光ユニット１１の端子対に挿入して固定部６の中央下部の穴部６−２をネジ（不図示）で固定することにより、発光ユニット１１を基材（不図示）に固定することができる。
【００３４】
図４（ｄ）に示すように固定部６を「コ」字状とすれば、図５に示すように、固定部６の一対の端部にそれぞれ発光ユニット１１を接続することにより、発光ユニット１１同士を対向して配置することができる。また、複数個の発光ユニット１１が直線状の固定部６により平面状に形成された２つの面を、「コ」字状の固定部６により対向して接続することもできる。発光面は、互いに外方に向いていても良いし、互いに内方に向いていても良い。また、一方が外方に向き他方が内方に向いていてもよい。
【００３５】
図４（ｅ）に示すように固定部６を鍔付き「コ」字状のものを半分としたものを用いれば、固定部６を例えば正方形状の発光ユニット１１に挿入し固定部６の下部の凹部６−３をネジ（不図示）で基材（不図示）に固定することにより、発光ユニット１１を基材（不図示）に固定することができる。
【００３６】
本発明に係る固定部６は、導電性を有し、発光ユニット１１同士を機械的に強固に固定することが可能であれば、如何なる材料から構成されていてもよい。このような材料としては、金属材料、合金材料等が挙げられ、導電性を有すればセラミック材料、プラスティック材料等でもよい。
【００３７】
本発明の実施の形態２に係る発光装置によれば、発光ユニットの形状を所望の形状とし、当該発光ユニット同士を接続する固定部の形状を任意に選択することにより、容易に所望の形状とすることができる。また、一つの電源で全ての発光ユニットを発光させることができるため、電源のための配線の取り回し作業を低減することができる。
【産業上の利用可能性】
【００３８】
本発明に係る発光装置の製造方法は、照明用光源、各種インジケーター用光源、車載用光源、ディスプレイ用光源、液晶のバックライト用光源、センサー用光源、信号機等、種々の発光装置の製造方法に使用することができる。
【符号の説明】
【００３９】
１・・・基板
２・・・整流部
３・・・定電流駆動部
４・・・発光素子群
ＬＥ１〜４０・・・発光素子
５・・・ケース
５−１・・・上側ケース
５−２・・・下側ケース
６・・・固定部
６−１・・・鍔部
６−２・・・穴部
６−３・・・凹部
８・・・係止部
９・・・係止部受部
１０・・・切欠部
１１・・・発光ユニット
１２・・・発光装置
１３・・・第１接続部
１４・・・第２接続部
２０・・・灯具
Ｌ１・・・第１ライン
Ｌ２・・・第２ライン
Ｌ３・・・第３ライン
Ｌ４・・・第４ライン
Ｔ１、Ｔ３・・・第１端子
Ｔ２、Ｔ４・・・第２端子
【図１】
0005310708.tif 000002
【図２】
0005310708.tif 000003
【図３】
0005310708.tif 000004
【図４】
0005310708.tif 000005
【図５】
0005310708.tif 000006
【図６】
0005310708.tif 000007